(57)【要約】【課題】ＵＲＬをブックマークに登録する場合のデータ通信量を最小限に抑えること。【解決手段】情報処理装置１００は、お気に入り追加処理部１６１が登録対象となるＵＲＬを入力装置１０から取得し、ＵＲＬチェック処理部１６２が、取得したＵＲＬがインターネット上に存在するか否かを判定し、お気に入り追加処理部１６１がＵＲＬチェック処理部１６２の判定結果に基づいて、ＵＲＬをお気に入り登録テーブル１５３に登録する。なお、お気に入り追加処理部１６１は、ＵＲＬ登録時に、ＵＲＬに対応するウェブサイトを出力装置２０に出力しない。【選択図】        図１
2008191783.tif 000002
【特許請求の範囲】
【請求項１】
情報提供を行うサイトのネットワーク上の場所を識別する識別情報を利用者の登録要求に応じて登録する情報処理装置であって、
前記識別情報を取得して利用者からの登録要求を受け付けた場合に、前記識別情報に対応する前記サイトがネットワーク上に存在するか否かを判定する判定手段と、
前記判定手段の判定結果に基づいて前記識別情報を記憶装置に登録する登録手段と、
を備えたことを特徴とする情報処理装置。
【請求項２】
前記判定手段は、複数の前記識別情報を取得して登録要求を受け付けた場合に、各識別情報に対応する前記サイトがネットワーク上に存在するか否かを判定し、前記登録手段は、前記判定手段の判定結果に基づいてネットワーク上に存在するサイトの前記識別情報を記憶装置に登録することを特徴とする請求項１に記載の情報処理装置。
【請求項３】
前記判定手段の判定結果の履歴を履歴情報として記憶する履歴情報記憶手段を更に備え、前記判定手段は、前記履歴情報を利用して前記サイトがネットワーク上に存在するか否かを判定することを特徴とする請求項１または２に記載の情報処理装置。
【請求項４】
前記判定手段は、前記識別情報を取得して利用者からの登録要求を受け付けた場合に、前記識別情報が前記履歴情報に含まれているか否かを判定し、前記履歴情報に前記識別情報が含まれていない場合に、前記識別情報に対応するサイトにアクセスして当該サイトがネットワーク上に存在するか否かを判定することを特徴とする請求項１、２または３に記載の情報処理装置。
【請求項５】
情報提供を行うサイトのネットワーク上の場所を識別する識別情報を利用者の登録要求に応じて登録する識別情報登録方法であって、
前記識別情報を取得して利用者からの登録要求を受け付けた場合に、前記識別情報に対応する前記サイトがネットワーク上に存在するか否かを判定する判定工程と、
前記判定工程の判定結果に基づいて前記識別情報を記憶装置に登録する登録工程と、
を含んだことを特徴とする識別情報登録方法。
【発明の詳細な説明】
【技術分野】
【０００１】
この発明は、情報提供を行うサイトのネットワーク上の場所を識別する識別情報を利用者の登録要求に応じて登録する情報処理装置等に関し、特にＵＲＬをブックマークに登録する場合のデータ通信量を最小限に抑えることができる情報処理装置および識別情報登録方法に関するものである。
【背景技術】
【０００２】
近年、インターネット環境が整備され、インターネットに接続可能なパーソナルコンピュータや携帯端末装置等の装置（以下、単に端末装置と表記する）が広く普及している。そして、利用者は、かかる端末装置を利用してインターネット上の様々なウェブサイトにアクセスし、各種情報（文章、画像、音声、映像などの情報）を取得している。
【０００３】
また、端末装置は、利用者の気に入ったウェブサイトのＵＲＬ（Uniform  Resource  Locator）を登録する機能（ブックマーク機能）を備えており、利用者は、ブックマーク機能を利用することによって、効率よくウェブサイトにアクセスすることができる。なお、利用者がＵＲＬを登録する場合には、一旦、ＵＲＬを端末装置に入力し、かかるＵＲＬに対応するウェブページを確認した後にＵＲＬを登録する必要があった。
【０００４】
特許文献１では、利用者にかかる負担を軽減すべく、ＵＲＬのアクセス回数をカウントし、カウントしたＵＲＬのアクセス回数が所定回数に達した場合に、かかるＵＲＬをブックマークに登録するという技術が開示されている。
【０００５】
【特許文献１】特開２００１−２０９６０２号公報
【発明の開示】
【発明が解決しようとする課題】
【０００６】
しかしながら、上述した従来の技術では、利用者がブックマーク機能を利用してお気に入りのＵＲＬを単に登録する場合（ＵＲＬを登録するだけで、ウェブサイトを閲覧しない場合）でも、一旦、ＵＲＬを端末装置に入力し、ＵＲＬに対応するウェブサイトを端末装置に表示する必要があるため、不必要なデータ通信が行われてしまうという問題があった。
【０００７】
更に、近年では、複数のＵＲＬを同時に登録するという機能を有した端末装置も普及しており、ＵＲＬの登録時に行われるデータ通信量が更に増加してしまい、この問題は更に深刻なものとなっている。特に、携帯端末装置等では、パケット量に応じて料金が加算される場合があるため、データ通信量はできるだけ少ないほうが望ましい。
【０００８】
この発明は、上述した従来技術による問題点を解消するためになされたものであり、ＵＲＬをブックマークに登録する場合のデータ通信量を最小限に抑えることができる情報処理装置および識別情報登録方法を提供することを目的とする。
【課題を解決するための手段】
【０００９】
上述した課題を解決し、目的を達成するため、本発明は、情報提供を行うサイトのネットワーク上の場所を識別する識別情報を利用者の登録要求に応じて登録する情報処理装置であって、前記識別情報を取得して利用者からの登録要求を受け付けた場合に、前記識別情報に対応する前記サイトがネットワーク上に存在するか否かを判定する判定手段と、前記判定手段の判定結果に基づいて前記識別情報を記憶装置に登録する登録手段と、を備えたことを特徴とする。
【００１０】
また、本発明は、上記発明において、前記判定手段は、複数の前記識別情報を取得して登録要求を受け付けた場合に、各識別情報に対応する前記サイトがネットワーク上に存在するか否かを判定し、前記登録手段は、前記判定手段の判定結果に基づいてネットワーク上に存在するサイトの前記識別情報を記憶装置に登録することを特徴とする。
【００１１】
また、本発明は、上記発明において、前記判定手段の判定結果の履歴を履歴情報として記憶する履歴情報記憶手段を更に備え、前記判定手段は、前記履歴情報を利用して前記サイトがネットワーク上に存在するか否かを判定することを特徴とする。
【００１２】
また、本発明は、上記発明において、前記判定手段は、前記識別情報を取得して利用者からの登録要求を受け付けた場合に、前記識別情報が前記履歴情報に含まれているか否かを判定し、前記履歴情報に前記識別情報が含まれていない場合に、前記識別情報に対応するサイトにアクセスして当該サイトがネットワーク上に存在するか否かを判定することを特徴とする。
【００１３】
また、本発明は、情報提供を行うサイトのネットワーク上の場所を識別する識別情報を利用者の登録要求に応じて登録する識別情報登録方法であって、前記識別情報を取得して利用者からの登録要求を受け付けた場合に、前記識別情報に対応する前記サイトがネットワーク上に存在するか否かを判定する判定工程と、前記判定工程の判定結果に基づいて前記識別情報を記憶装置に登録する登録工程と、を含んだことを特徴とする。
【発明の効果】
【００１４】
本発明によれば、情報提供を行うサイトのネットワーク上の場所を識別する識別情報を取得して利用者からの登録要求を受け付けた場合に、識別情報に対応するサイトがネットワーク上に存在するか否かを判定し、判定結果に基づいて識別情報を記憶装置に登録するので、利用者にかかる負担を軽減させることができると共に、識別情報登録時のデータ通信量を最小限に抑えることができる。
【００１５】
また、本発明によれば、複数の識別情報を取得して登録要求を受け付けた場合に、各識別情報に対応するサイトがネットワーク上に存在するか否かを判定し、判定結果に基づいてネットワーク上に存在するサイトの識別情報を記憶装置に登録するので、データ通信量を減らしつつ、複数の識別情報を効率よく登録することができる。
【００１６】
また、本発明によれば、識別情報が存在するか否かの判定結果の履歴を履歴情報として記憶し、この履歴情報を利用してサイトがネットワーク上に存在するか否かを判定するので、不要なデータ通信を無くすことができる。
【００１７】
また、本発明によれば、識別情報を取得して利用者からの登録要求を受け付けた場合に、識別情報が履歴情報に含まれているか否かを判定し、履歴情報に識別情報が含まれていない場合に、識別情報に対応するサイトにアクセスしてサイトがネットワーク上に存在するか否かを判定するので、不要なデータ通信を無くすことができる。
【発明を実施するための最良の形態】
【００１８】
以下に添付図面を参照して、この発明に係る情報処理装置および識別情報登録方法の好適な実施の形態を詳細に説明する。
【実施例】
【００１９】
まず、本実施例にかかる情報処理装置の概要および特徴について説明する。本実施例にかかる情報処理装置は、情報提供を行うサイトのネットワーク上の場所を識別するＵＲＬ（Uniform  Resource  Locator）を利用者の登録要求に応じてブックマークなどに登録する情報処理装置に関するものであり、ＵＲＬを取得して利用者からの登録要求を受け付けた場合に、ＵＲＬに対応するサイトがネットワーク上に存在するか否かを判定し、判定結果に基づいてＵＲＬをブックマークに登録する。
【００２０】
このように、本実施例にかかる情報処理装置は、利用者からの登録要求を受け付けたＵＲＬがネットワーク上に存在するか否かを判定し、判定結果に基づいてかかるＵＲＬをブックマークに登録するので、ＵＲＬを登録する場合に、利用者自身が該当サイトの存在有無を確認する必要性がなくなるため、利用者にかかる負担を軽減することができる。
【００２１】
また、本実施例にかかる情報処理装置は、ＵＲＬをブックマークに登録する場合に、ＵＲＬに対応するサイトを表示装置（ディスプレイなど）に表示しないので、かかるサイトを提供する装置とのデータ通信量を最小限に抑えることができる。
【００２２】
つぎに、本実施例にかかる情報処理装置の構成について説明する。図１は、本実施例にかかる情報処理装置の構成を示す機能ブロック図である。同図に示すように、この情報処理装置１００は、入力装置１０および出力装置２０に接続され、コマンド解析部１１０と、画面表示部１２０と、通信制御ＩＦ部１３０と、入出力制御ＩＦ部１４０と、記憶部１５０と、制御部１６０とを備えて構成される。
【００２３】
このうち、入力装置１０は、各種情報を入力する入力装置であり、キーボードやマウス、マイクなどによって構成される。本実施例では主に、利用者が入力装置１０を操作して、ＵＲＬを情報処理装置１００に入力し、ＵＲＬを情報処理装置１００に登録させる。
【００２４】
出力装置２０は、各種情報を出力する出力装置であり、モニタ（若しくはディスプレイ、タッチパネル）やスピーカなどによって構成される。また、出力装置２０は、上述した入力装置のマウスと協働してポインティングディバイス機能を実現する。
【００２５】
コマンド解析部１１０は、入力装置１０から各種情報を取得し、取得した情報を解析して実行すべき処理（コマンド）を判定する処理部である。例えば、コマンド解析部１１０は、入力装置１０から取得した情報にＵＲＬと当該ＵＲＬの登録要求とが含まれていると判定した場合には、取得した情報および判定結果を制御部１６０に出力する。
【００２６】
画面表示部１２０は、制御部１６０などから各種情報を取得し、取得した各種情報を出力装置２０に出力する処理部である。通信制御ＩＦ部１３０は、インターネット３０上の各種ウェブサイトを提供する装置（図示略）と所定の通信プロトコルを利用してデータ通信を実行する処理部である。
【００２７】
入出力制御ＩＦ部１４０は、コマンド解析部１１０、画面表示部１２０、通信制御ＩＦ部１３０、記憶部１５０、制御部１６０におけるデータの入出力を制御する処理部である。
【００２８】
記憶部１５０は、制御部１６０による各種情報処理に必要なデータおよびプログラムを記憶する記憶部であり、特に本発明に密接に関連するものとしては、図１に示すように、登録ＵＲＬファイル１５１と、ＵＲＬ履歴テーブル１５２と、お気に入り登録テーブル１５３とを備える。
【００２９】
登録ＵＲＬファイル１５１は、登録対象となるＵＲＬの情報を記憶するファイルである。図２は、登録ＵＲＬファイル１５１のデータ構造の一例を示す図である。同図に示すように、登録ＵＲＬファイル１５１は、ＵＲＬ情報およびブックマーク登録先フォルダから構成される。ここで、ブックマーク登録先フォルダは、ＵＲＬが登録されるフォルダを示す情報である。例えば、図２において、１段目のＵＲＬは、フォルダＡに登録される旨が示されている。この登録ＵＲＬファイル１５１は、入力装置１０を操作する利用者によって作成される。
【００３０】
ＵＲＬ履歴テーブル１５２は、ＵＲＬに対応するウェブサイトがネットワーク上に存在するか否かの過去の履歴を記憶するテーブルである。図３は、ＵＲＬ履歴テーブル１５２のデータ構造の一例を示す図である。同図に示すように、このＵＲＬ履歴テーブル１５２は、ＵＲＬ情報と、検索結果と、検索日時から構成される。
【００３１】
ここで、検索結果は、過去に制御部１６０によって検索されたＵＲＬがネットワーク上に存在したか否かを示す情報である。例えば、図３において、１段目のＵＲＬはネットワーク上に存在する旨が示されている。
【００３２】
お気に入り登録テーブル１５３は、ブックマークに登録される情報を記憶するテーブルである。図４は、お気に入り登録テーブル１５３のデータ構造の一例を示す図である。同図に示すように、このお気に入り登録テーブル１５３は、名前（タイトル）と、ＵＲＬ情報と、ブックマーク登録先フォルダとを備える。
【００３３】
このうち、名前は、ＵＲＬに対応するサイトのタイトルを示し、ブックマーク登録先フォルダは、ＵＲＬが登録されたフォルダ（図示略）を識別する情報である。図４の１段目では、名前「タイトルＡ」のＵＲＬ「http://○○○○」が「フォルダＡ」に登録されている旨が示されている。
【００３４】
図１の説明に戻ると、制御部１６０は、各種の処理手順を規定したプログラムや制御データを格納するための内部メモリを有し、これらによって種々の処理を実行する制御部であり、特に本発明に密接に関連するものとしては、図１に示すように、お気に入り追加処理部１６１と、ＵＲＬチェック処理部１６２と、Ｗｅｂページ閲覧処理部１６３とを備える。
【００３５】
お気に入り追加処理部１６１は、ＵＲＬをお気に入り登録テーブル１５３に登録する処理部である。具体的に、このお気に入り追加処理部１６１は、登録対処となるＵＲＬを取得した場合に、取得したＵＲＬに対応するサイトがネットワーク上に存在するか否かをＵＲＬチェック処理部１６２に問い合わせ、問い合わせた結果に基づいて、ＵＲＬをお気に入り登録テーブル１５３に登録する。登録対象となるＵＲＬは、入力装置１０あるいは記憶部１５０に記憶された登録ＵＲＬファイル１５１から取得する。
【００３６】
お気に入り追加処理部１６１は、ＵＲＬチェック処理部１６２からの問い合わせ結果（ＵＲＬチェック処理部１６２の検索結果）を取得して、問い合わせた結果の情報を出力装置２０に出力する。図５は、問い合わせ結果を表示する出力装置２０の画面例を示す図である。同図に示すように、出力画面には、ＵＲＬがネットワーク上に存在するか否かの情報が表示されている。
【００３７】
そして、お気に入り追加処理部１６１は、入力装置１０を介して利用者に「ＯＫ」が入力された場合に、ネットワーク上に存在するＵＲＬの情報をお気に入り登録テーブル１５３に登録する。なお、「ＮＯ」が入力された場合には、ＵＲＬの登録を行わない。また、「修正」が選択された場合には、入力装置１０から入力された情報を反映（例えば、タイトルの修正）した後に、ＵＲＬをお気に入り登録テーブル１５３に登録する。
【００３８】
なお、お気に入り追加処理部１６１は、ＵＲＬチェック処理部１６２から検索済み情報を取得した場合には、検索済み情報を出力装置２０に出力する。図６は、検索済み情報を表示する出力装置２０の画面例を示す図である。同図に示すように、この画面には、過去に利用者が登録要求を行ったＵＲＬとその存在有無の情報等が含まれている。お気に入り追加処理部１６１は、登録対象となるＵＲＬのうち、検索済み情報に含まれるＵＲＬをお気に入り登録テーブルに登録しない。
【００３９】
ＵＲＬチェック処理部１６２は、お気に入り追加処理部１６１からＵＲＬを取得した場合に、取得したＵＲＬがネットワーク上に存在するか否かを判定する処理部である。具体的に、ＵＲＬチェック処理部１６２は、まず、お気に入り追加処理部１６１から取得したＵＲＬがＵＲＬ履歴テーブルに存在するか否かを判定する。そして、ＵＲＬチェック処理部１６２は、ＵＲＬ履歴テーブルにＵＲＬが存在する場合には、かかるＵＲＬの検索結果、タイトル、検索日時を含んだ検索済み情報を作成し、作成した検索済み情報をお気に入り追加処理部１６１に出力する。
【００４０】
続いて、ＵＲＬチェック処理部１６２は、ＵＲＬ履歴テーブル１５２に含まれないＵＲＬがネットワーク上に存在するか否かを判定し、判定結果（問い合わせ結果）をお気に入り追加処理部１６１に出力する。ＵＲＬチェック処理部１６２は、ネットワーク上にＵＲＬが存在するか否かを判定する判定方法は、どのような方法でも構わないが、例えば、ＵＲＬに該当するサイトにアクセス要求を出力した後に応答がサイトから帰ってきた場合に、ＵＲＬに該当するサイトが存在すると判定することができる。
【００４１】
この判定結果には、ＵＲＬと、タイトルと、検索結果と、検索日時の情報が含まれているものとする。なお、ＵＲＬチェック処理部１６２は、判定を行ったＵＲＬの履歴をＵＲＬ履歴テーブル１５２に記憶する。ＵＲＬチェック処理部１６２は、ＵＲＬが存在するか否かの判定結果およびＵＲＬを対応付けてＵＲＬ履歴テーブル１５２に登録する。
【００４２】
Ｗｅｂページ閲覧処理部１６３は、ブラウザ機能を実現するための処理部であり、本実施例では主に、入力装置１０からＵＲＬが入力された場合に、かかるＵＲＬに対応するサイトを出力装置２０に出力する。また、ブックマークとしてお気に入り登録テーブル１５３に登録されたＵＲＬが選択された場合にも、選択されたＵＲＬに対応するサイトを出力装置２０に出力する。
【００４３】
続いて、本実施例にかかる情報処理装置１００の処理手順について説明する。図７および図８は、本実施例にかかる情報処理装置１００の処理手順を示すフローチャートである。情報処理装置１００は、ＵＲＬ入力用ダイアログを表示する（ステップＳ１０１）。図９は、ＵＲＬ入力用ダイアログの一例を示す図である。ＵＲＬ入力用ダイアログは、ＵＲＬ登録要求を入力装置１０から取得した場合に、お気に入り追加処理部１６１が出力装置２０に出力する。
【００４４】
図１０は、出力装置２０に表示されるブラウザ画面の一例を示す図である。例えば、お気に入り追加処理部１６１は、ブラウザ画面の「ＵＲＬからお気に入りに追加」を選択されることによって、図９に示したＵＲＬ入力用ダイアログを表示させる。
【００４５】
図７および図８の説明に戻ると、お気に入り追加処理部１６１は、ＵＲＬ入力用ダイアログ画面において、「ファイルを開く」を選択されたか否かを判定し（ステップＳ１０２）、「ファイルを開く」を選択された場合には（ステップＳ１０３，Ｙｅｓ）、登録ＵＲＬファイル１５１の読み込みを行い（ステップＳ１０４）、ステップＳ１０６に移行する。
【００４６】
一方、「ファイルを開く」を選択されず、ＵＲＬを直接入力された場合には（ステップＳ１０３，Ｎｏ）、入力されたＵＲＬを受け付ける（ステップＳ１０５）。ＵＲＬチェック処理部１６２は、ＵＲＬ履歴テーブル１５２の読み込みを行い（ステップＳ１０６）、お気に入り登録対象となるＵＲＬとＵＲＬ履歴テーブル１５２とを比較し（ステップＳ１０７）、検索済み情報を生成してお気に入り追加処理部１６１に出力する（ステップＳ１０８）。
【００４７】
続いて、ＵＲＬチェック処理部１６２は、ＵＲＬ履歴テーブル１５２に存在しないお気に入り登録対象となるＵＲＬが存在するか否かを判定し（ステップＳ１０９）、存在しない場合には（ステップＳ１１０、Ｎｏ）、ＵＲＬの登録処理を終了する。
【００４８】
一方、ＵＲＬ履歴テーブル１５２に存在しないお気に入り登録対象となるＵＲＬが存在する場合には（ステップＳ１１０，Ｙｅｓ）、ＵＲＬチェック処理部１６２は、インターネット上にＵＲＬに該当するウェブサイトが存在するか否かを判定する（ステップＳ１１１）。
【００４９】
インターネット上にＵＲＬに該当するウェブサイトが存在しない場合には（ステップＳ１１２，Ｎｏ）、ＵＲＬ履歴テーブルを更新し（ステップＳ１１３）、エラーメッセージを出力装置２０に表示させ（ステップＳ１１４）、ステップＳ１０１に移行する。
【００５０】
一方、インターネット上にＵＲＬに該当するウェブサイトが存在する場合には（ステップＳ１１２，Ｙｅｓ）、ＵＲＬチェック処理部１６２は、ウェブサイトからタイトルを取得し（ステップＳ１１５）、ＵＲＬ履歴テーブル１５２を更新する（ステップＳ１１６）。
【００５１】
そして、お気に入り追加処理部１６１は、検索結果（例えば、図５参照）を出力装置２０に出力させ（ステップＳ１１７）、「ＯＫボタン」が選択されたか否かを判定する（ステップＳ１１８）。「ＯＫボタン」が選択された場合には（ステップＳ１１９，Ｙｅｓ）、ＵＲＬをお気に入り登録テーブル１５３に登録する（ステップＳ１２０）。「ＮＯボタン」が選択された場合には（ステップＳ１１９，Ｎｏ）、そのまま処理を終了する。
【００５２】
このように、ＵＲＬチェック処理部１６２が、登録対象となるＵＲＬがインターネット上に存在するか否かを判定するので、利用者にかかる負担を軽減させることができる。
【００５３】
上述してきたように、本実施例にかかる情報処理装置１００は、お気に入り追加処理部１６１が登録対象となるＵＲＬを取得し、ＵＲＬチェック処理部１６２が、取得したＵＲＬがインターネット上に存在するか否かを判定し、ＵＲＬチェック処理部１６２の判定結果に基づいて、ＵＲＬをお気に入り登録テーブル１５３に登録するので、利用者がわざわざＵＲＬに対応するウェブサイトを参照する必要性を無くすことができる。
【００５４】
また、本実施例にかかる情報処理装置１００は、お気に入り追加処理部１６１は、ＵＲＬ登録時に、ＵＲＬに対応するウェブサイトを出力装置２０に出力しないので、ウェブサイトを運営する装置とのデータ通信量を最小限にすることができる。
【００５５】
また、本実施例にかかる情報処理装置１００は、ＵＲＬ履歴テーブル１５２を記憶部１５０に記憶し、過去に検索したことがあるＵＲＬの存在有無を再度検索することを防止するので、ウェブサイトを運営する装置との間におけるデータ通信量を更に削減することができる。
【００５６】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【００５７】
また、図１に示した情報処理装置１００の構成は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【００５８】
図１１は、図１に示した情報処理装置１００を構成するコンピュータのハードウェア構成を示す図である。このコンピュータ５０は、ユーザからのデータの入力を受け付ける入力装置５１、モニタ５２、ＲＡＭ（Random  Access  Memory）５３、ＲＯＭ（Read  Only  Memory）５４、各種プログラムを記録した記録媒体からプログラムを読み取る媒体読取装置５５、ネットワークを介して他のコンピュータとの間でデータの授受をおこなうネットワークインターフェース５６、ＣＰＵ（Central  Processing  Unit）５７、および、ＨＤＤ（Hard  Disk  Drive）５８をバス５９で接続して構成される。
【００５９】
そして、ＨＤＤ５８には、上述した情報処理装置１００の機能と同様の機能を発揮するＵＲＬ登録処理プログラム５８ｂが記憶されている。そして、ＣＰＵ５７がＵＲＬ登録処理プログラム５８ｂをＨＤＤ５８から読み出して実行することにより、上述した情報処理装置１００の機能部の機能を実現するＵＲＬ登録処理プロセス５７ａが起動される。このＵＲＬ登録処理プロセス５７ａは、図１に示したお気に入り追加処理部１６１、ＵＲＬチェック処理部１６２、Ｗｅｂページ閲覧処理部１６３に対応する。
【００６０】
また、ＨＤＤ５８には、上述した情報処理装置１００の記憶部１５０に記憶されるデータに対応する各種データ５８ａが記憶される。この各種データ５８ａは、図１に示した登録ＵＲＬファイル１５１、ＵＲＬ履歴テーブル１５２、お気に入り登録テーブル１５３に対応する。
【００６１】
ＣＰＵ５７は、各種データ５８ａをＨＤＤ５８に記憶するとともに、各種データ５８ａをＨＤＤ５８から読み出してＲＡＭ５３に格納し、ＲＡＭ５３に格納された各種データ５３ａを利用してＵＲＬの登録処理を実行する。
【００６２】
なお、本実施例では、パーソナルコンピュータを例に、ＵＲＬ登録処理（例えば、図７および図８に示した処理に対応）を実行する例を示したが、これに限定されるものではなく、携帯電話などの携帯端末装置にも同様に適用することができる。携帯端末装置は、データ通信量に応じて料金が加算されるため、本願発明にかかるＵＲＬ登録処理を適用するとＵＲＬ登録時のデータ通信量を大幅に削減することができ、使用料金を最小限に抑えることができる。
【００６３】
（付記１）情報提供を行うサイトのネットワーク上の場所を識別する識別情報を利用者の登録要求に応じて登録する情報処理装置であって、
前記識別情報を取得して利用者からの登録要求を受け付けた場合に、前記識別情報に対応する前記サイトがネットワーク上に存在するか否かを判定する判定手段と、
前記判定手段の判定結果に基づいて前記識別情報を記憶装置に登録する登録手段と、
を備えたことを特徴とする情報処理装置。
【００６４】
（付記２）前記判定手段は、複数の前記識別情報を取得して登録要求を受け付けた場合に、各識別情報に対応する前記サイトがネットワーク上に存在するか否かを判定し、前記登録手段は、前記判定手段の判定結果に基づいてネットワーク上に存在するサイトの前記識別情報を記憶装置に登録することを特徴とする付記１に記載の情報処理装置。
【００６５】
（付記３）前記判定手段の判定結果の履歴を履歴情報として記憶する履歴情報記憶手段を更に備え、前記判定手段は、前記履歴情報を利用して前記サイトがネットワーク上に存在するか否かを判定することを特徴とする付記１または２に記載の情報処理装置。
【００６６】
（付記４）前記判定手段は、前記識別情報を取得して利用者からの登録要求を受け付けた場合に、前記識別情報が前記履歴情報に含まれているか否かを判定し、前記履歴情報に前記識別情報が含まれていない場合に、前記識別情報に対応するサイトにアクセスして当該サイトがネットワーク上に存在するか否かを判定することを特徴とする付記１、２または３に記載の情報処理装置。
【００６７】
（付記５）情報提供を行うサイトのネットワーク上の場所を識別する識別情報を利用者の登録要求に応じて登録する識別情報登録方法であって、
前記識別情報を取得して利用者からの登録要求を受け付けた場合に、前記識別情報に対応する前記サイトがネットワーク上に存在するか否かを判定する判定工程と、
前記判定工程の判定結果に基づいて前記識別情報を記憶装置に登録する登録工程と、
を含んだことを特徴とする識別情報登録方法。
【００６８】
（付記６）前記判定工程は、複数の前記識別情報を取得して登録要求を受け付けた場合に、各識別情報に対応する前記サイトがネットワーク上に存在するか否かを判定し、前記登録工程は、前記判定工程の判定結果に基づいてネットワーク上に存在するサイトの前記識別情報を記憶装置に登録することを特徴とする付記５に記載の識別情報登録方法。
【００６９】
（付記７）前記判定工程の判定結果の履歴を履歴情報として記憶装置に記憶する履歴情報記憶工程を更に備え、前記判定工程は、前記履歴情報を利用して前記サイトがネットワーク上に存在するか否かを判定することを特徴とする付記５または６に記載の識別情報登録方法。
【００７０】
（付記８）情報提供を行うサイトのネットワーク上の場所を識別する識別情報を利用者の登録要求に応じて登録する識別情報登録プログラムであって、
前記識別情報を取得して利用者からの登録要求を受け付けた場合に、前記識別情報に対応する前記サイトがネットワーク上に存在するか否かを判定する判定手順と、
前記判定手順の判定結果に基づいて前記識別情報を記憶装置に登録する登録手順と、
をコンピュータに実行させることを特徴とする識別情報登録プログラム。
【００７１】
（付記９）前記判定手順は、複数の前記識別情報を取得して登録要求を受け付けた場合に、各識別情報に対応する前記サイトがネットワーク上に存在するか否かを判定し、前記登録手順は、前記判定手順の判定結果に基づいてネットワーク上に存在するサイトの前記識別情報を記憶装置に登録することを特徴とする付記８に記載の識別情報登録プログラム。
【００７２】
（付記１０）前記判定手順の判定結果の履歴を履歴情報として記憶装置に記憶する履歴情報記憶手順を更にコンピュータに実行させ、前記判定手順は、前記履歴情報を利用して前記サイトがネットワーク上に存在するか否かを判定することを特徴とする付記８または９に記載の識別情報登録プログラム。
【産業上の利用可能性】
【００７３】
以上のように、本発明にかかる情報処理装置および識別情報登録方法は、ＵＲＬをブックマークなどに登録する情報処理装置などに有用であり、特に、ＵＲＬ登録時のデータ通信量を低減させる場合に適している。
【図面の簡単な説明】
【００７４】
【図１】本実施例にかかる情報処理装置の構成を示す機能ブロック図である。
【図２】登録ＵＲＬファイルのデータ構造の一例を示す図である。
【図３】ＵＲＬ履歴テーブルのデータ構造の一例を示す図である。
【図４】お気に入り登録テーブルのデータ構造の一例を示す図である。
【図５】問い合わせ結果を表示する出力装置の画面例を示す図である。
【図６】検索済み情報を表示する出力装置の画面例を示す図である。
【図７】本実施例にかかる情報処理装置の処理手順を示すフローチャート（１）である。
【図８】本実施例にかかる情報処理装置の処理手順を示すフローチャート（２）である。
【図９】ＵＲＬ入力用ダイアログの一例を示す図である。
【図１０】出力装置に表示されるブラウザ画面の一例を示す図である。
【図１１】図１に示した情報処理装置を構成するコンピュータのハードウェア構成を示す図である。
【符号の説明】
【００７５】
１０，５１    入力装置
２０    出力装置
３０    インターネット
５０    コンピュータ
５２    モニタ
５３    ＲＡＭ
５３ａ  各種データ
５４    ＲＯＭ
５５    媒体読取装置
５６    ネットワークインターフェース
５７    ＣＰＵ
５７ａ  ＵＲＬ登録処理プロセス
５８    ＨＤＤ
５８ａ  各種データ
５８ｂ  ＵＲＬ登録処理プログラム
１００    情報処理装置
１１０    コマンド解析部
１２０    画面表示部
１３０    通信制御ＩＦ部
１４０    入出力制御ＩＦ部
１５０    記憶部
１５１    登録ＵＲＬファイル
１５２    ＵＲＬ履歴テーブル
１５３    お気に入り登録テーブル
１６０    制御部
１６１    お気に入り追加処理部
１６２    ＵＲＬチェック処理部
１６３    Ｗｅｂページ閲覧処理部
【図１】
2008191783.tif 000003
【図２】
2008191783.tif 000004
【図３】
2008191783.tif 000005
【図４】
2008191783.tif 000006
【図５】
2008191783.tif 000007
【図６】
2008191783.tif 000008
【図７】
2008191783.tif 000009
【図８】
2008191783.tif 000010
【図９】
2008191783.tif 000011
【図１０】
2008191783.tif 000012
【図１１】
2008191783.tif 000013